(57)【要約】【課題】  カラー画像のスキャンを行うことができるが、カラープリントはできないマルチファンクション機において、送信結果レポートを、送信画像を付加した状態で出力することが可能とする。【解決手段】  送信画像データがカラー画像の場合に、送信結果レポートに出力する送信画像は、モノクロ画像に変換して出力する。これにより、ユーザは送信結果レポートがどの送信に対応しているかを判断することができる。【選択図】  図１
2006245768.tif 000002
【特許請求の範囲】
【請求項１】
画像送信後に、送信の結果レポートを出力する手段を持ち、送信結果レポートにその通信で送信した画像を添付する画像通信装置において、送信画像データがカラー画像の場合に、送信結果レポートに出力する送信画像は、モノクロ画像に変換して出力することを特徴とする画像通信装置。
【請求項２】
画像送信後に、送信の結果レポートを出力する手段を持ち、送信結果レポートにその通信で送信した画像を添付する画像通信装置において、送信結果レポートに出力される送信画像データがカラー画像の場合は、送信結果レポートに送信画像を印刷しないようにすることを特徴とする画像通信装置。
【請求項３】
画像送信後に、送信の結果レポートを出力する手段を持ち、送信結果レポートにその通信で送信した画像を添付する画像通信装置において、送信結果レポートに出力される送信画像データがカラー画像の場合はモノクロの画像に変換して出力／送信画像を出力しないをユーザの登録により切り替えることのできる事を特徴とする画像通信装置。
【発明の詳細な説明】
【技術分野】
【０００１】
本発明は画像制御方式に関するものである。
【背景技術】
【０００２】
ＦＡＸや、ネットワーク通信を通して画像データを通信する機器において、画像データの送信時に、その通信結果をレポートとして出力する、送信結果レポート機能がある。
【０００３】
図２は送信結果レポートの例を示したものである。
【０００４】
送信結果レポートでは、その通信が正常に終了した場合は「正常終了」を示し、エラー終了した場合は、正しく送れなかった理由を印字し、出力する。
【０００５】
この送信結果レポートは、通信後に出力されるので、ユーザが送信のオペレーションを行って、しばらくしてから出力されることになる。その間に、他の通信が行われることもあるため、複数の送信結果レポートが短時間に複数枚出力されることもある。従って、その送信結果レポートが、どの通信に対応しているかを、ユーザが判別しやすくするために、送信結果レポートに、送信画像の一部を添付し、その送信結果レポートが、どの通信に対応しているかを判別できるようにしている。
【０００６】
この時、送信結果レポートに添付される画像は、送信時に送った画像データを送信後も消去しないで残しておき、送信結果レポートの画像データを作成後、その上に画像データの一部を送信結果レポート画像と結合させて、印刷していた（図３）。そして、出力後、送信画像をメモリ上から消去している。
【０００７】
又、別の従来例としては、特許文献１をあげることが出来る。
【特許文献１】特開２００４−２９７７６７号公報
【発明の開示】
【発明が解決しようとする課題】
【０００８】
現在のマルチファンクション機において、カラー画像のスキャンを行うことができるが、カラープリントはできない機種も存在する。このような機種の場合、カラー画像の読み取りが可能であるので、カラーＦＡＸ送信や、カラー画像のＥ−Ｍａｉｌ送信機能などの通信機能を持たせることが可能である。
【０００９】
しかし、プリンタ側がカラー画像出力できないため、従来のように送信画像を、レポート画像に添付して印刷することができない。
【課題を解決するための手段】
【００１０】
このような問題を解決するために、画像送信後に、送信の結果レポートを出力する手段を持ち、送信結果レポートにその通信で送信した画像を印刷する画像通信装置において、送信画像データがカラー画像の場合に、送信結果レポートに出力する送信画像は、モノクロ画像に変換して出力する。
【００１１】
これにより、ユーザは送信結果レポートがどの送信に対応しているかを判断することができる。
【００１２】
送信結果レポートに添付される送信画像は、どの送信かを判断するために必要であるだけなので、モノクロ化して画質が下がっても、ユーザは十分に画像の判断を行うことができる。
【００１３】
また、カラー送信画像をモノクロ化して出力することで、混乱を生じるユーザである場合は、送信結果レポートに送信画像を印刷しないようにすることができる。
【００１４】
さらに、これらの機能をユーザの希望に応じて、登録時にＯＮ／ＯＦＦすることを可能にする。
【発明の効果】
【００１５】
以上述べたように、カラー画像のスキャンを行うことができるが、カラープリントはできないマルチファンクション機において、送信結果レポートを、送信画像を付加した状態で出力することが可能となる。
【００１６】
そして、これにより、ユーザは送信結果レポートがどの送信に対応しているかを判断することができる。
【００１７】
また、カラー送信画像をモノクロ化して出力することで、混乱を生じるユーザである場合は、送信結果レポートに送信画像を印刷しないようにすることができる。
【００１８】
さらに、これらの機能をユーザの希望に応じて、登録時にＯＮ／ＯＦＦすることも可能となる。
【発明を実施するための最良の形態】
【００１９】
本発明の手順を画像通信装置にＭＦＰ機を例にあげて説明する
【実施例１】
【００２０】
図１は、本発明における通信装置のハードウエア構成の概略図である。
【００２１】
図２は、送信結果レポートを示したものである。
【００２２】
図３は、送信結果レポートの内容について示したものである。
【００２３】
図４は、従来の送信結果レポート作成時のフローを示したものである。
【００２４】
図５は、本発明の送信結果レポート作成時のフローを示したものである。
【００２５】
図１において、
（１−１）：ＣＰＵはシステムの制御部であり、装置全体を制御する。
【００２６】
（１−２）：ＲＯＭはＣＰＵの制御プログラムを格納するためのものである。
【００２７】
（１−３）：ＳＲＡＭはオペレータが登録した設定値や装置の管理データ等や各種ワーク用バッファ等を格納するものである。
【００２８】
（１−４）：ＤＲＡＭはプログラム制御変数等を格納するためのものである。
【００２９】
また画像データ、テキストデータを蓄積するためのものである。
【００３０】
（１−５）：読み取り部は画像データを読み取り、バイナリデータに変換する装置である。
【００３１】
本発明では、カラー画像の読み取りが可能としている。
【００３２】
（１−６）：記録部は画像データを、記録紙に出力する装置である。
【００３３】
本発明では、モノクロのみ出力可能な記録部としている。
【００３４】
（１−７）：ファクシミリ通信制御部は電話回線とのインターフェースである。
【００３５】
（１−８）：操作部はオペレータによる登録を行う装置である。
【００３６】
（１−９）：符号処理部（ＣＯＤＥＣ）は通信制御装置で扱う画像データの符号化復号化処理を行う。
【００３７】
また画像の縮小拡大処理もここで行われる。  
（１−１０）：ネットワーク通信制御部は、ネットワーク回線へのＩ／Ｆを行う。
【００３８】
プリントジョブの受信や、インターネットＦＡＸ送受信に使われる。
【００３９】
（１−１１）：外部メモリ装置は、取り外しの可能なメモリである。
【００４０】
図２は送信結果レポートについて示したものである。
【００４１】
送信結果レポートは、その通信が正常に終了したかどうかを示すものである。
【００４２】
この例では、レポート上部に送信結果が記されている。送信が正常に終了した場合は、「正常終了」を示す。また、送信が正しく行われなかった場合は、正しく行われなかった理由を表記する。例えば、「話し中でした」などがある。
【００４３】
また、その送信結果レポートが、どの通信に対応しているかを、ユーザが判別しやすくするために、送信結果レポートに、送信画像の一部を添付し、その送信結果レポートが、どの通信に対応しているかを判別できるようにしている。
【００４４】
図３は送信結果レポートの内容について示している。
【００４５】
送信結果レポートは、送信結果を示すテキスト部と、送信画像部がある。
【００４６】
テキスト部は、送信結果を示すテキスト情報を画像データに変換したものである。
【００４７】
送信画像部は、実際に送信した画像の上部を、レポートのサイズに合わせて切り取る。
【００４８】
そして、これら２つの生画像データを１つのメモリ領域に書き込み、印刷を行う。
【００４９】
図４は、従来の送信結果レポートの作成のフローを示したものである。
【００５０】
フローに従って説明する。
【００５１】
まず、送信が終了すると、送信の結果を元に、表題や結果を示すテキスト部分の作成を行う（４−１）。
【００５２】
次に、そのテキストデータをもとにして、機器内に持っているフォントデータを使用し、モノクロ２値の生画像データに変換する（４−２）。また、一方で送信に用いたメモリ内の送信画像データを復号化し、生画像データ（モノクロ）にする（４−３）。そして、テキスト部と、送信画像部を１つのメモリ内に並べて配置し、結合する（４−４）。そして、そのデータ用いてプリンタがレポートとして出力する（４−５）。最後に、送信に用いた送信画像データメモリから消去して（４−６）処理を終了する。
【００５３】
図５は本発明の送信結果レポートの作成のフローを示したものである。
【００５４】
フローに従って説明する。
【００５５】
まず、同様に送信が終了すると、送信の結果を元に、表題や結果を示すテキスト部分の作成を行う（５−１）。次に、そのテキストデータをもとにして、機器内に持っているフォントデータを使用し、モノクロ２値の生画像データに変換する（５−２）。
【００５６】
次に送信画像データの展開を行う。ここで、送信画像がモノクロ画像の場合は、従来手法と同じく通常の復号化処理を行う（５−４）。しかし、送信画像データがカラーの場合、ユーザの登録を調べ、カラー変換した画像の添付した送信結果レポートの出力が許可されているかを調べる（５−５）。
【００５７】
ここで、許可されていない場合は、テキスト部のみをレポートとして扱い、出力する（５−６）。
【００５８】
許可されている場合は、まず、カラー画像符号データを生画像データ（カラー）に復号化する（５−７）。そして、カラー画像データに対し色変換処理を行い、２値モノクロ画像データに変換する（５−８）。
【００５９】
その後は、モノクロ画像の場合と同じく、テキスト部と送信画像部を結合し（５−９）。プリンタによりレポートとして出力される（５−１０）。最後に、送信に用いた送信画像データメモリから消去して（５−１１）処理を終了する。
【図面の簡単な説明】
【００６０】
【図１】本発明実施時の通信装置のハードウエア構成を示した図である。
【図２】送信結果レポートを示したものである。
【図３】送信結果レポートの内容について示したものである。
【００６１】
送信結果レポートに必要なパーツを示している。
【図４】従来の送信結果レポート作成時のフローを示したものである。
【図５】本発明の送信結果レポート作成時のフローを示したものである。
【図１】
2006245768.tif 000003
【図２】
2006245768.tif 000004
【図３】
2006245768.tif 000005
【図４】
2006245768.tif 000006
【図５】
2006245768.tif 000007